(57)【要約】【課題】ハウス本体の出入口を開けても、開閉扉が邪魔にならないようにする。【解決手段】閉鎖状態において上部となる部位が、左右のガイドレール１２ａ，１２ｂの前端側に位置している際には、開閉扉２０の左右のフック部２３ａ，２３ｂが、対応する左右のガイドレール１２ａ，１２ｂの切り欠き部１３ａ，１３ｂに自重によって落下して係合する。フック部２３ａ，２３ｂは、切り欠き部１３ａ，１３ｂの前縁部１４ａ，１４ｂに接触して係合し、この係合位置が回転中心となり、フック部２３ａ，２３ａ及び切り欠き部１３ａ，１３ｂが一時的にヒンジとして機能し、開閉扉２０を回転方向に開閉動作させることができる。開閉扉２０は、開放状態では、奥行き方向に押すと、フック部２３ａ，２３ｂが切り欠き部から離脱し、開閉扉２０を各ガイドレール１２ａ，１２ｂに沿って奥行き方向に沿ってスライドさせてハウス本体１０内に収納することができる。【選択図】  図１
2019122267.tif 000002
【特許請求の範囲】
【請求項１】
一面にペットの出入口を備えた略直方体のハウス本体と、前記出入口を開閉する開閉扉とを有するペット用ハウスであって、
前記ハウス本体は、前記出入口が形成される面の左右に位置する各側壁の内面の上部に、互いに対向して、奥行き方向に沿って配置されると共に、それぞれ前端側の底面に切り欠き部が形成されている左右一対のガイドレールを有し、
前記開閉扉は、閉鎖状態で上部となる部位に、前記左右のガイドレールに対応する位置に互いに間隔をもって設けられ、内方に突出する左右一対のフック部を有し、
前記開閉扉の前記上部が、前記各ガイドレールの前端側に位置する際には、前記各フック部が前記各切り欠き部に落下して係合し、この係合位置を中心として、前記開閉扉を回転方向に開閉動作可能であり、かつ、開放時には、前記開閉扉の下部を前記ガイドレールに対応する高さ付近に至るまで回転させた状態で、前記開閉扉を前記各ガイドレールに沿って奥行き方向に沿ってスライドさせて収納可能であることを特徴とするペット用ハウス。
【請求項２】
前記各ガイドレールの後端に、後方に向けて斜め下方向に傾斜する傾斜面が形成されている請求項１記載のペット用ハウス。
【請求項３】
ハウス本体の出入口が形成される面の左右に位置する側壁の内面の上部に、奥行き方向に沿って配置することが可能であり、且つ、前端側の底面に切り欠き部が形成されているガイドレール。
【発明の詳細な説明】
【技術分野】
【０００１】
本発明は、ペットを収容するペット用ハウスに関する。
【背景技術】
【０００２】
ペット用ハウスは、犬や猫などのペットを収容するハウス本体と、ペットが出入りする出入口を備え、その出入口には、開閉扉が設けられているのが一般的である。開閉扉は、ハウス本体の内部の状況を視認できるように格子、スリット、窓部を有するものなどが用いられている。
【０００３】
従来、ハウス本体の出入口を開閉する開閉扉は、特許文献１に示すように、出入口の左右のいずれかの側縁にヒンジを介して開閉する構成である。開閉扉は外側に開き、閉じた開閉扉は他方の側縁でロックする構造である。
【先行技術文献】
【特許文献】
【０００４】
【特許文献１】特開平１１−２７６００６号公報
【発明の概要】
【発明が解決しようとする課題】
【０００５】
従来のペット用ハウスは、特許文献１に示すように、開閉扉がハウス本体の外側へ開く構造であるために、ペットが出入口を通過する際に、例えば中開きになった開閉扉に接することになる。この時、ペットの体毛が開閉扉に付着する。すなわち、ペットの体毛が開閉扉の側縁等に引っかかって抜けることになる。
また、飼い主は、例えば就寝時にペットをペット用ハウスに収容し、開閉扉を閉めてロックする。しかし、起きている時は、ペットが自由に出入りできるように、開閉扉を開放することがある。その場合、開閉扉は全開にしたり半開きにしたりするので、開閉扉が邪魔になる。
【０００６】
本発明は上記に鑑みなされたものであり、ハウス本体の出入口を開けても、開閉扉が邪魔にならず、かつ、ペットの体毛が引っ掛かったりしないように出入口を開閉する開閉扉を備えたペット用ハウスを提供することを課題とする。
【課題を解決するための手段】
【０００７】
上記課題を解決するため、本発明のペット用ハウスは、一面にペットの出入口を備えた略直方体のハウス本体と、前記出入口を開閉する開閉扉とを有するペット用ハウスであって、
前記ハウス本体は、前記出入口が形成される面の左右に位置する各側壁の内面の上部に、互いに対向して、奥行き方向に沿って配置されると共に、それぞれ前端側の底面に切り欠き部が形成されている左右一対のガイドレールを有し、
前記開閉扉は、閉鎖状態で上部となる部位に、前記左右のガイドレールに対応する位置に互いに間隔をもって設けられ、内方に突出する左右一対のフック部を有し、
前記開閉扉の前記上部が、前記各ガイドレールの前端側に位置する際には、前記各フック部が前記各切り欠き部に落下して係合し、この係合位置を中心として、前記開閉扉を回転方向に開閉動作可能であり、かつ、開放時には、前記開閉扉の下部を前記ガイドレールに対応する高さ付近に至るまで回転させた状態で、前記開閉扉を前記各ガイドレールに沿って奥行き方向に沿ってスライドさせて収納可能であることを特徴とする。
また、本発明のペット用ハウスは、前記各ガイドレールの後端に、後方に向けて斜め下方向に傾斜する傾斜面が形成されていることが好ましい。
【０００８】
上記課題を解決するため、本発明のガイドレールは、ハウス本体の出入口が形成される面の左右に位置する側壁の内面の上部に、奥行き方向に沿って配置することが可能であり、且つ、前端側の底面に切り欠き部が形成されていることを特徴とする。
【発明の効果】
【０００９】
本発明によれば、出入口の開閉扉を開閉する際、すなわち、閉鎖状態において上部となる部位が、左右のガイドレールの前端側に位置している際には、開閉扉の左右のフック部が、対応する左右のガイドレールの切り欠き部に自重によって落下して係合する。これにより、フック部は、切り欠き部の前縁部に接触して係合し、この係合位置が回転中心となり、フック部及び切り欠き部が一時的にヒンジとして機能し、開閉扉を回転方向に開閉動作させることができる。一方、閉鎖状態において下部となる部位を、ガイドレールに対応する高さ付近に至るまで回転させ、奥行き方向に押すと、フック部が切り欠き部から離脱し、開閉扉を各ガイドレールに沿って奥行き方向に沿ってスライドさせてハウス本体内に収納することができる。
本発明のペット用ハウスは、ハウス本体の出入口が開かれた状態では、開閉扉がハウス本体の内部の上壁面付近で収納される。そのため、ペットのハウス本体の出入りの際に邪魔にならず、体毛が引っ掛かったりすることがない。
【００１０】
また、開閉扉の回転を、簡単なフック部と切り欠き部のみで実現しており、専用のヒンジを設ける必要がない。専用のヒンジを設けた場合には、そのヒンジへの体毛の引っ掛かりを防止する手段を講じたりする必要があり、コストが嵩むが、本発明では、極めて簡易な構造で、フック部と切り欠き部も一時的に係合するだけであるため、体毛の引っ掛かり等が生じることはほとんどない。また、安価に製造可能である。
【図面の簡単な説明】
【００１１】
【図１】本発明の実施形態のペット用ハウスの全体的な斜視図である。
【図２】ハウス本体の内部から出入口の開閉扉の裏面を視た斜視図である。
【図３】開閉扉で出入口を閉じている状態を示す、左側面から視た縦断面図である。
【図４】開閉扉がヒンジ機構を中心に回動している状態を示す縦断面図である。
【図５】図４に対応する部分的な斜視図である。
【図６】（ａ）は、開閉扉がほぼ水平状態に回動した状態を示す縦断面図である。（ｂ）は、ヒンジ機構におけるヒンジの機能が解除される状態を示す縦断面図である。（ｃ）は、開閉扉がほぼ水平状態で左右のガイドレールの上をスライドする状態を示す縦断面図である。
【図７】図６（ｂ）に対応する部分的な斜視図である。
【図８】図６（ｃ）に対応する部分的な斜視図である。
【図９】開閉扉がほぼ水平状態で左右のガイドレールに収納された状態を示す縦断面図である。
【図１０】図９に対応する部分的な斜視図である。
【図１１】（ａ）は、開閉扉を前方へ引き出す際に、左右のフック部が傾斜面に当接した状態を示す縦断面図である。（ｂ）は、左右のフック部が傾斜面をスライドして左右のガイドレール面へ引き上げられる状態を示す縦断面図である。
【発明を実施するための形態】
【００１２】
以下、本発明の実施形態について図面を参照して説明する。
本実施形態に係るペット用ハウス１は、図１および図２に示すように、ペットを収容するハウス本体１０を備えている。ハウス本体１０は、ペットが出入りするための出入口１１を備え、出入口１１を開閉する開閉扉２０を備えている。
【００１３】
ハウス本体１０は、本実施形態では直方体形状であり、図１において左斜め下側の前方面が開口しており、この開口が出入口１１となる。開閉扉２０は、前記の出入口１１の上方に少しの間隔をあけて、出入口１１のほぼ全面を塞ぐ形状としている。さらに、開閉扉２０は、内側を空間とする長方形の外枠２１と、この外枠２１の内側を塞ぐように棒状の部材で形成した格子２２とで構成している。
【００１４】
ハウス本体１０の内部は、図１および図２に示すように、開閉扉２０をほぼ水平状態にして前後にスライド可能とするために、奥行き方向に配置した左右のガイドレール１２ａ，１２ｂを備えている。左のガイドレール１２ａは左側壁の上部に位置し、右のガイドレール１２ｂは右側壁の上部に位置して、互いに対向するように形成している。なお、左右のガイドレール１２ａ，１２ｂは、例えば断面Ｌ字形状をなし、このＬ字形の垂直片を各側壁に固定し、Ｌ字形の水平片をガイドレールとすることができる。
したがって、開閉扉２０は、ハウス本体１０の内部の上壁面に近い位置で、左右のガイドレール１２ａ，１２ｂの上を前後にスライドしてハウス本体１０の内部に収納したり、引き出したりすることができる。
【００１５】
開閉扉２０は、図２に示すように、該開閉扉２０の裏面の上端に左右のフック部２３ａ，２３ｂを有する。また、左右のフック部２３ａ，２３ｂは、対応する左右のガイドレール１２ａ，１２ｂの上をスライド可能な位置に配置している。すなわち、左のフック部２３ａは開閉扉２０の上部外枠２１ａの裏面の左端側に位置し、右のフック部２３ｂは開閉扉２０の上部外枠２１ａの裏面の右端側に位置し、互いにほぼ同じように下向きコ字状に形成している。
【００１６】
さらに、左右のガイドレール１２ａ，１２ｂの前端側には、図２に示すように、開閉扉２０の左右のフック部２３ａ，２３ｂに係合する切り欠き部１３ａ，１３ｂを有している。開閉扉２０の左右のフック部２３ａ，２３ｂは、対応する左右のガイドレール１２ａ，１２ｂの上をスライドすると、開閉扉２０を前方へ引き出した時に、開閉扉２０の自重によって左右のフック部２３ａ，２３ｂが対応する左右の切り欠き部１３ａ，１３ｂ内に落下し、左右のガイドレール１２ａ，１２ｂより下方へ突き出る。これによって、左右のフック部２３ａ，２３ｂが対応する左右の切り欠き部１３ａ，１３ｂに係合し、より具体的には、切り欠き部１３ａ，１３ｂの前方に位置する前縁部１４ａ，１４ｂに接触して係合する。
【００１７】
また、左右のガイドレール１２ａ，１２ｂの後端は、図１および図３に示すように、後方に向けて斜め下方向に傾斜する傾斜面１５ａを備えた傾斜部１５を形成している。この傾斜部１５の機能を説明する。
【００１８】
開閉扉２０がほぼ水平状態で左右のガイドレール１２ａ，１２ｂの上に支持されて収納されると、左右のフック部２３ａ，２３ｂは、対応する左右のガイドレール１２ａ，１２ｂより下がった状態となる。開閉扉２０を引き出すときは、左右のフック部２３ａ，２３ｂを対応する左右のガイドレール１２ａ，１２ｂの上に載せる必要がある。したがって、傾斜部１５の傾斜面１５ａは、前記の左右のフック部２３ａ，２３ｂの下端位置より下方へ伸びている。開閉扉２０を前方へ引き出すと、左右のフック部２３ａ，２３ｂは傾斜面１５ａ, １５ａをスライドして左右のガイドレール１２ａ，１２ｂに引き上げられる。
【００１９】
また、ハウス本体１０の出入口１１には、図１に示すように、閉じた開閉扉２０をロックするロック機構４を備えている。ロック機構４は、必要に応じて施錠または開錠できるようになっており、特に限定されない。
【００２０】
次に、本実施形態のペット用ハウス１における開閉扉２０の開閉動作について説明する。
図１は、ハウス本体１０の出入口１１が開閉扉２０で閉じられた状態である。すなわち、開閉扉２０は、図２および図３に示すように、閉鎖状態において上部となる部位が、左右のガイドレール１２ａ，１２ｂの前端側に位置し、左右のフック部２３ａ，２３ｂが対応する左右のガイドレール１２ａ，１２ｂの切り欠き部１３ａ，１３ｂに係合して吊り下げられた状態である。なお、開閉扉２０は、ロック機構４によってロックされている。
【００２１】
開閉扉２０を開放するには、ロック機構４のロックを解除し、開閉扉２０の下部を持って図４および図５に示すように、ヒンジ機構３を中心にして、つまりフック部２３ａ，２３ｂを切り欠き部１３ａ，１３ｂの前縁部１４ａ，１４ｂに係合させながら開閉扉２０を図４において白抜きの矢印の時計回り方向に回動することで、出入口１１が開かれる。
【００２２】
開閉扉２０がほぼ水平状態になるまで、すなわち、閉鎖状態で下部になっていた部位がガイドレール１２ａ，１２ｂの設置高さ付近に至るまで回動されると、図６(ａ)に示すように、左右のフック部２３ａ，２３ｂが、対応する左右のガイドレール１２ａ，１２ｂの切り欠き部１３ａ，１３ｂを介して、左右のガイドレール１２ａ，１２ｂより下方へ突き出る。
【００２３】
次いで、開閉扉２０を、図６(ｂ)および図７に示すように、左右のフック部２３ａ，２３ｂが対応する左右のガイドレール１２ａ，１２ｂの上に載るように持ち上げながら図６(ｂ) の白抜きの矢印の後方へ押し込む。
【００２４】
引き続き、開閉扉２０を、図６(ｃ) および図８に示すように、左右のフック部２３ａ，２３ｂが対応する左右のガイドレール１２ａ，１２ｂの上をスライドさせ、図６(ｃ) の白抜きの矢印の後方まで押し込む。
【００２５】
開閉扉２０は、図９および図１０に示すように、開閉扉２０の下部外枠２１ｂが左右のガイドレール１２ａ，１２ｂの前方端の位置まで押し込まれると、開閉扉２０がほぼ水平状態で左右のガイドレール１２ａ，１２ｂ上に支持されて収納される。左右のフック部２３ａ，２３ｂは対応する左右のガイドレール１２ａ，１２ｂから外れた状態となる。
【００２６】
以上のように、ペット用ハウス１は、ハウス本体１０の出入口１１が開かれた状態では、開閉扉２０がハウス本体１０の内部の上壁面の近くに収納されるので邪魔にならない。また、ペットは出入口１１から悠々と出入りでき、従来の開閉扉２０のようにペットの体毛が引っ掛かって傷められたりする障害がない。
また、左右のガイドレール１２ａ，１２ｂは、Ｌ字形という単純な形状であるため、ハウス本体１０の左右の側壁から突出していても、ペットの体毛が引っかからない。
また、開閉扉２０がほぼ水平状態で左右のガイドレール１２ａ，１２ｂに収納されている時に、大きな揺れが生じて、開閉扉２０が前方にスライドしようとしても、開閉扉２０の左右のフック部２３ａ，２３ｂが左右のガイドレール１２ａ，１２ｂの傾斜部１５，１５に当接し、容易には前方へ飛び出さないように抑える効果もある。
【００２７】
次に、図９および図１０のように開閉扉２０を収納した状態から引き出して開閉扉２０で出入口１１を閉じる作用について説明する。
基本的には、前述のように開閉扉２０を開放する動作とまったく逆の動作となる。開閉扉２０の下部外枠２１ｂをつかんで前方へ引き出すと、図１１(ａ)に示すように、左右のフック部２３ａ，２３ｂが傾斜面１５ａに当接してから、図１１(ｂ)に示すように、傾斜面１５ａをスライドして左右のガイドレール１２ａ，１２ｂの上に引き上げられる。
【００２８】
次いで、開閉扉２０を、図６(ｃ) および図８に示すように、左右のフック部２３ａ，２３ｂが対応する左右のガイドレール１２ａ，１２ｂ上をスライドさせ、図６(ｃ)の黒の矢印の前方へ引き出す。
【００２９】
図６(ｂ)および図７に示すように、黒の矢印の前方へ引き出されると、開閉扉２０は、自重により左右のフック部２３ａ，２３ｂが対応する左右のガイドレール１２ａ，１２ｂの切り欠き部１３ａ，１３ｂに落下する。
【００３０】
開閉扉２０は、図６(ａ)に示すように、ほぼ水平状態になるように保持されると、左右のフック部２３ａ，２３ｂが対応する左右のガイドレール１２ａ，１２ｂの切り欠き部１３ａ，１３ｂから下方へ突き出る。開閉扉２０をさらに前方に引くと、左右のフック部２３ａ，２３ｂが対応する左右の前縁部１４ａ，１４ｂに係合して、ヒンジ機構３として機能する。
【００３１】
開閉扉２０は、図４および図５に示すように、ヒンジ機構３を中心にして、つまりフック部２３ａ，２３ｂが切り欠き部１３ａ，１３ｂの前縁部１４ａ，１４ｂに係合しながら図４において黒の矢印の反時計回り方向に回動し、出入口１１が閉じられる。すなわち、開閉扉２０は、図１ないしは図３に示すように、左右のフック部２３ａ，２３ｂが対応する左右のガイドレール１２ａ，１２ｂの切り欠き部１３ａ，１３ｂの前縁部１４ａ，１４ｂに引っ掛けて吊り下げられた状態で閉鎖することになる。次いで、開閉扉２０はロック機構４によってロックされる。
【００３２】
以上のように、本実施形態のペット用ハウス１は、開閉扉２０の開閉をスムーズに行うことができ、開閉扉２０をほぼ水平状態でハウス本体１０の内部へ簡単に収納することができる。また、ヒンジ機構３は、いわゆる一般のヒンジを使用する必要がなく、構造が簡単である。そのため、ペットの体毛の引っ掛かり等が生じることが抑制でき、製造コストを低く抑えることができる。
【００３３】
また、本実施形態のペット用ハウス１は、直方体形状のハウス本体１０と開閉扉２０とを有するという簡易な構造であるため、テレビボードなどにおいて、略直方体状の空間があれば、その空間に収納することで、あるいは、その空間をハウス本体１０として利用すれば、上記のガイドレール１２ａ，１２ｂと開閉扉２０を設置するだけで、テレビボード等と一体化させることでき、省スペース化が図れる。また、デザイン的にも室内にペット用ハウス１が存在することで煩雑なイメージを与えたりすることがない。
【００３４】
その他、本実施形態のペット用ハウス１は、タンスや棚などの側板にも設置することができ、また、机やテーブルの天板の下側にも設置することができる。このように、ペット用ハウス１は、室内の既存の家具に取り付けることができるため、省スペース化を図ることができる。また、これら家具と一体化させることができるため、室内が煩雑なイメージを与えるものとはならない。
【符号の説明】
【００３５】
１  ペット用ハウス
３  ヒンジ機構
１０  ハウス本体
１１  出入口
１２ａ，１２ｂ  ガイドレール
１３ａ，１３ｂ  切り欠き部
１４ａ，１４ｂ  前縁部
１５  傾斜部
２０  開閉扉
２３ａ，２３ｂ  フック部
【図１】
2019122267.tif 000003
【図２】
2019122267.tif 000004
【図３】
2019122267.tif 000005
【図４】
2019122267.tif 000006
【図５】
2019122267.tif 000007
【図６】
2019122267.tif 000008
【図７】
2019122267.tif 000009
【図８】
2019122267.tif 000010
【図９】
2019122267.tif 000011
【図１０】
2019122267.tif 000012
【図１１】
2019122267.tif 000013